(57)【要約】【課題】ドップラーレーダー型のセンサを利用して列車の速度を検出する列車速度検出装置の精度を向上させる技術を提供する。【解決手段】列車１は、底面２にドップラーレーダー型センサ２０を備える。ドップラーレーダー型センサ２０は、道床９０に対し所定の傾斜角θをつけて設置されている。列車１はドップラーレーダー型センサ２０で検出した速度成分をもとに列車１の水平方向の速度、つまり進行速度を推定する速度算出部１０を備える。速度算出部１０は、斜め前方照射方向の照射された送出波に対する反射波をもとに距離情報ＲＨＰｋ及び速度情報ＶＰｋを算出し、ドップラーレーダー型センサ２０を設置した際の設置高度情報ｈより、列車速度ＲＶ１（本推定速度）を推定する。【選択図】図２
2015165754.tif 000002
【特許請求の範囲】
【請求項１】
道床に対して所定の傾斜角を送出波の照射方向として列車の底部に設置されたドップラーレーダー型のセンサと、
前記センサによって算出される反射位置までの距離と、前記センサが設置されている高度とから、前記送出波の前記反射位置の方向の実際の角度を算出する実傾斜角算出部と、
前記実傾斜角算出部によって算出された前記角度と前記センサが検出した速度情報とから、前記列車の速度を算出する列車速度算出部と
を備えることを特徴とする列車速度検出装置。
【請求項２】
道床に対して所定の傾斜角を送出波の照射方向として列車の底部に設置されたドップラーレーダー型のセンサによって算出される反射位置までの距離と、前記センサが設置されている高度とから、前記送出波の前記反射位置の方向の実際の角度を算出する実傾斜角算出工程と、
前記実傾斜角算出部によって算出された前記角度と前記センサが検出した速度情報とから、前記列車の速度を算出する列車速度算出工程と
を備えることを特徴とする列車速度検出方法。
【発明の詳細な説明】
【技術分野】
【０００１】
本発明は、列車速度検出装置及び列車速度検出方法に係り、特に、ドップラーレーダー型のセンサを利用した列車の速度を検出する列車速度検出装置及び列車速度検出方法に関する。
【背景技術】
【０００２】
列車の速度検出としては車輪の回転を検出して算出する方法が知られている。従来の手法では、速度と経過時間から列車の移動距離を求め、さらに積算する事で列車位置を確定させている。しかし、車輪の空転、滑走が発生する事により計測速度に誤差が発生する。また、列車走行により車輪が摩耗する事で車輪径が変化していくため、計測速度に誤差が発生する。近年、列車に搭載する車上装置が自列車の位置を認識し、与えられた列車制御信号と比較する事で、自列車の停止目標位置を確定させる等の技術が求められている。この場合、車上装置で自列車位置を正確に認識する事が非常に重要となる。そのため列車に搭載する新たな速度計測装置が求められていた。
【０００３】
そのような技術として、例えば、ドップラーレーダー型のセンサを利用した列車の速度を検出する列車速度検出装置が提案されている（例えば、非特許文献１参照）。具体的には、ミリ波の送受信アンテナを備えた装置を車両の床下に設置した状態で、軌道に向けてミリ波を照射し反射波を取得する。ドップラー効果を利用して車両の速度を算出している。
【先行技術文献】
【非特許文献】
【０００４】
【非特許文献１】笠井  貴之等、「ミリ波を用いた非接触式速度計の開発」、鉄道サイパネ・シンポジウム論文集通号４９、２０１２年１１月
【発明の概要】
【発明が解決しようとする課題】
【０００５】
ところで、センサの道床に対する傾斜角を用いて、センサから得られた斜め方向の速度成分を補正する方法では、センサがずれて傾斜角に狂いが生じた場合や、センサの検知エリアが広がっている場合、例えば、レーザーのようなビームではない場合、速度推定誤差が大きくなるという課題がある。
【０００６】
図１に、検知エリアが線で無いセンサ（例えば、ドップラーレーダセンサ）を使用して、速度成分を推定する場合における、レーダー波の広がり状況を示す。図示のように、その推定速度成分には広がり分の誤差がある。実線で示す矢印がレーダセンサの中心、その周りの破線で示す矢印が広がりを示している。そのままでは図中の範囲のどの位置で反射した反射波を検出しているかが不明なため誤差が発生している可能性がある。
【０００７】
特に列車の速度検出に関しては、列車の位置検出にも用いられる関係上、誤差が累積していった場合に円滑な列車運行に支障を来すおそれもあり、対策の技術が必要とされていた。特に、列車運行間隔が短い場合には安全性の観点から非常に精度の高い速度検出が必要であり、ドップラーレーダー型のセンサを利用した列車の速度を検出する列車速度検出装置の導入にあたり、非常に大きな課題となっていた。
【０００８】
非特許文献１に開示の技術では、センサの傾斜角の狂いについては十分な考慮がなされておらず別の技術が必要とされていた。
【０００９】
本発明は、以上のような状況に鑑みなされたものであって、上記課題を解決する技術を提供することにある。
【課題を解決するための手段】
【００１０】
本発明の列車速度検出装置は、道床に対して所定の傾斜角を送出波の照射方向として列車の底部に設置されたドップラーレーダー型のセンサと、前記センサによって算出される反射位置までの距離と、前記センサが設置されている高度とから、前記送出波の前記反射位置の方向の実際の角度を算出する実傾斜角算出部と、前記実傾斜角算出部によって算出された前記角度と前記センサが検出した速度情報とから、前記列車の速度を算出する列車速度算出部とを備える。
本発明の列車速度検出方法は、道床に対して所定の傾斜角を送出波の照射方向として列車の底部に設置されたドップラーレーダー型のセンサによって算出される反射位置までの距離と、前記センサが設置されている高度とから、前記送出波の前記反射位置の方向の実際の角度を算出する実傾斜角算出工程と、前記実傾斜角算出部によって算出された前記角度と前記センサが検出した速度情報とから、前記列車の速度を算出する列車速度算出工程とを備える。
【発明の効果】
【００１１】
本発明によると、ドップラーレーダー型のセンサを利用して列車の速度を検出する列車速度検出装置の精度を向上させる技術を提供できる。
【図面の簡単な説明】
【００１２】
【図１】背景技術に係る、検知エリアが線で無いセンサを使用して、速度成分を推定する場合における、レーダー波の広がり状況を模式的に示す図である。
【図２】本実施形態に係る、列車１の構成を示す機能ブロック図である。
【図３】本実施形態に係る、列車の底面にドップラーレーダー型のセンサを道床に対し傾斜角をつけて設置して列車速度（本推定速度）を計測する原理を説明する図である。
【図４】本実施形態に係る、列車の底面にドップラーレーダー型のセンサを道床に対し傾斜角をつけて設置して列車速度（比較推定速度）を計測する原理を説明する図である。
【図５】本実施形態に係る、本推定速度、比較推定速度及びＧＰＳ速度の実地検証実験結果を示すグラフである。
【発明を実施するための形態】
【００１３】
次に、本発明を実施するための形態（以下、単に「実施形態」という）を、図面を参照して具体的に説明する。
【００１４】
図２は、本実施形態に係る列車１の構成を示す機能ブロック図であり、ここでは、速度算出機能に着目して示している。
【００１５】
列車１は、底面２にドップラーレーダー型センサ２０を備える。ドップラーレーダー型センサ２０は、道床９０に対し所定の傾斜角θをつけて設置されている。したがって、ドップラーレーダー型センサ２０は、斜め方向の速度成分を検出する。つまり、送出波の送出方向を所定の傾斜角θの方向とする。
【００１６】
さらに、列車１はドップラーレーダー型センサ２０で検出した速度成分をもとに列車１の水平方向の速度、つまり進行速度を推定する速度算出部１０を備える。なお従来は、軌道９１を転動する車輪の回転数をもとに速度を算出していた。
【００１７】
速度算出部１０は、後述する算出手法により、斜め前方照射方向の照射された送出波に対する反射波をもとに距離情報ＲＨＰｋ及び速度情報ＶＰｋを算出し、ドップラーレーダー型センサ２０を設置した際の設置高度情報ｈより、列車速度ＲＶ１（本推定速度）を推定する。つまり、ドップラーレーダー型センサ２０及び速度算出部１０により、従来の速度計と同様の機能が実現される。
【００１８】
具体的には、速度算出部１０は、実傾斜角算出部１１及び列車速度算出部１２を備える。実傾斜角算出部１１は、ドップラーレーダー型センサ２０により得られる距離情報ＲＨＰｋと設置時のドップラーレーダー型センサ２０の高さ（設置高度ｈ）とから道床９０に対する実際の送出波及び反射波の傾斜角（チルト角θＰｋ）を算出する。
【００１９】
列車速度算出部１２は、実傾斜角算出部１１が算出したチルト角θＰｋとレーダーの速度情報ＶＰｋより、それぞれの速度情報の水平成分ＶＨＰｋを推定し、さらにそれらの相加平均を列車速度ＲＶ１として推定する。推定された列車速度ＲＶ１とは、例えば速度計等に表示される。
【００２０】
図３を参照して、本実施形態における基本的な速度検出方法（本推定速度）を具体的に説明する。ここではドップラーレーダー型センサ２０のアンテナ中心Ｃから反射面である道床９０に所定のチルト角θＰｋで送出波が照射されて反射波としてドップラーレーダー型センサ２０に戻るものとする。
【００２１】
式（１）に示すように、検出サンプリングそれぞれの距離情報ＲＨＰｋを用いて、それぞれのチルト角θＰｋを推定する。但し、添え字Ｐｋをそのサンプル番号とする。設置高度情報ｈは、道床９０からドップラーレーダー型センサ２０のアンテナ中心Ｃからまでの高さである。
2015165754.tif 000003
【００２２】
つぎに、式（２）に示すように、式（１）で求めたチルト角θＰｋとドップラーレーダー型センサ２０の速度情報ＶＰｋより、それぞれの速度情報ＶＰｋの水平成分ＶＨＰｋを推定する。
2015165754.tif 000004
式（３）に示すように、式（２）で求めた水平成分ＶＨＰｋの所定期間の相加平均を取り、その相加平均を列車速度ＲＶ１とする。
2015165754.tif 000005
【００２３】
つづいて、図４を参照して、図１で示した背景技術において用いられている算出手法による比較推定速度の推定方法を説明する。
【００２４】
ここではドップラーレーダー型センサ２０により推定された速度情報ＶＰｋと、ドップラーレーダー型センサ２０を底面２に設置した際に設定した送出波の送出方向であるチルト角情報θ（固定値；例えば４５°）より、列車速度ＲＶ２を推定する。
【００２５】
式（４）に示すように、速度情報ＶＰｋとチルト角情報θより、検出サンプリングそれぞれの速度情報ＶＰｋの水平成分ＶＨＰｋを推定する。但し、添え字Ｐｋをそのサンプル番号とする。上述の式（２）との違いはｃｏｓθが固定値である点にある。
2015165754.tif 000006
【００２６】
次に、式（５）に示すように、式（４）で求めた水平成分ＶＨＰｋの所定期間の相加平均を取り、その相加平均を列車速度ＲＶ２とする。
2015165754.tif 000007
【００２７】
図５では、本実施形態で提案している補正方法を用いて推定した列車速度（本推定速度）、従来手法で算出した比較推定速度、及びＧＰＳを用いて算出した速度（ＧＰＳ速度）に関して実証実験した比較結果を示す。図５（ａ）が約３６０秒の計測結果を示しており、図５（ｂ）は図５（ａ）の領域Ａ１を拡大して示しており、図５（ｃ）は図５（ｂ）の領域Ａ２を拡大して示している。実証実験では、送出波として２４ＧＨｚのマイクロ波を用いた。
【００２８】
図示のように、比較推定速度は、ＧＰＳ速度に対して４〜５％程度の誤差が生じていた。一方、本推定速度では、ＧＰＳ速度と略同一となり、上記の誤差が実質的に解消している。したがって、ドップラーレーダー型センサ２０を速度計に適用する場合に、精度の高い速度計を実現することができる。
【００２９】
以上、本実施形態によると、
（１）ドップラーレーダー型センサ２０の傾斜角が走行するなどによりずれた場合でも、実際の送出波（反射波）の方向となっている傾斜角を推定しているので、適切に補正をすることが出来る。その結果、列車の速度計測の精度を向上させることができる。
（２）ドップラーレーダー型センサ２０の検知範囲、つまり照射方向が広がっている場合でも、実際に反射されて戻ってきた検出波の速度成分に対する傾斜角を推定することができるので、推定する速度の精度を向上させることができる。
【００３０】
以上、本発明を実施形態をもとに説明した。この実施形態は例示であり、それらの各構成要素の組み合わせにいろいろな変形例が可能なこと、またそうした変形例も本発明の範囲にあることは当業者に理解されるところである。
【符号の説明】
【００３１】
１  列車
２  底面
１０  速度算出部
１１  実傾斜角算出部
１２  列車速度算出部
２０  ドップラーレーダー型センサ
９０  道床
９１  軌道
【図１】
2015165754.tif 000008
【図２】
2015165754.tif 000009
【図３】
2015165754.tif 000010
【図４】
2015165754.tif 000011
【図５】
2015165754.tif 000012